(57)【特許請求の範囲】
【請求項１】
光ディスクに記録されている情報を再生する光ディスク再生装置において、光ディスクの再生を２倍速早送り再生に変更する早送り再生手段と、光ディスクの再生を２倍速早戻し再生に変更する早戻し再生手段と、光ディスクの再生速度を指定する数値キーからなる再生速度指定手段とを備え、光ディスクの通常再生時、前記早送り再生手段が操作されたとき、光ディスクの再生を２倍速早送り再生に変更し、前記早戻し再生手段が操作されたとき、光ディスクの再生を２倍速早戻し再生に変更し、光ディスクの早送り再生時或いは早戻し再生時、前記再生速度指定手段が操作されたとき、光ディスクの早送り再生或いは早戻し再生の再生速度を前記再生速度指定手段によって指定された数値の再生速度に変更し、光ディスクの早送り再生時、前記早送り再生手段が操作されたとき、或いは光ディスクの早戻し再生時、前記早戻し再生手段が操作されたとき、光ディスクの早送り再生或いは早戻し再生を通常再生に戻すようにしたことを特徴とする光ディスク再生装置。
【請求項２】
光ディスクに記録されている情報を再生する光ディスク再生装置において、光ディスクの再生を２倍速早送り再生に変更する早送り再生手段と、光ディスクの再生速度を指定する数値キーからなる再生速度指定手段とを備え、光ディスクの通常再生時、前記早送り再生手段が操作されたとき、光ディスクの再生を２倍速早送り再生に変更し、光ディスクの早送り再生時、前記再生速度指定手段が操作されたとき、光ディスクの早送り再生の再生速度を前記再生速度指定手段によって指定された数値の再生速度に変更するようにし、光ディスクの早送り再生時、前記早送り再生手段が操作されたとき、光ディスクの早送り再生を通常再生に戻すようにしたことを特徴とする光ディスク再生装置。
【請求項３】
前記早送り再生手段は、光ディスク再生装置のリモコン装置又は操作パネルに設けられた早送りキーであることを特徴とする請求項１又は請求項２のいずれかに記載の光ディスク再生装置。
【請求項４】
光ディスクの再生を通常再生から２倍速早戻し再生に変更する早戻し再生手段を備え、光ディスクの通常再生時、前記早戻し再生手段が操作されたとき、光ディスクの再生を２倍速早戻し再生に変更し、光ディスクの早戻し再生時、前記再生速度指定手段が操作されたとき、光ディスクの早戻し再生の再生速度を前記再生速度指定手段によって指定された数値の再生速度に変更するようにしたことを特徴とする請求項２記載の光ディスク再生装置。
【請求項５】
光ディスクの早戻し再生時、前記早戻し再生手段が操作されたとき、光ディスクの早戻し再生を通常再生に戻すようにしたことを特徴とする請求項５記載の光ディスク再生装置。
【請求項６】
前記早戻し再生手段は、光ディスク再生装置のリモコン装置又は操作パネルに設けられた早戻しキーであることを特徴とする請求項１又は請求項５のいずれかに記載の光ディスク再生装置。
【請求項７】
前記再生速度指定手段は、光ディスク再生装置のリモコン装置又は操作パネルに設けられた数字キーであることを特徴とする請求項１又は請求項２のいずれかに記載の光ディスク再生装置。
【発明の詳細な説明】
【０００１】
【発明の属する技術分野】
本発明は、ＤＶＤ（デジタルビデオディスク）等の光ディスクに記録されている情報を再生する光ディスク再生装置に係り、特に光ディスクに記録されている情報の早送り再生、早戻し再生に関する。
【０００２】
【従来の技術】
従来の技術は、例えば、実開平４−９３９４１号公報に記載されているように、送り方向及び戻し方向の２つのサーチボタンを有する光ディスク再生装置において、一方のサーチボタンが操作されている間、対応するサーチ動作を実行するとともに、その後の他のサーチボタンの操作に応じてサーチ動作におけるサーチ速度を変更することができるようにしたものがあった。
【０００３】
また、例えば、特開平７−３１２７３７号公報に記載されているように、光ディスク再生装置に装着された光ディスクのサーチタイムを設定し、設定されたサーチタイムにおけるフレーム番号を設定して、設定されたサーチタイム又はサーチタイムにおけるフレーム番号の画像をサーチすることができるようにしたものがあった。
【０００４】
【発明が解決しようとする課題】
しかしながら、上記従来の技術の前者では、送り方向或いは戻し方向の２つのサーチボタンの一方のサーチボタンが操作されている間、対応するサーチ動作を実行するとともに、その後の他のサーチボタンの操作に応じてサーチ動作におけるサーチ速度を高速或いは低速に変更することができたが、ユーザが所望する再生速度に変更することができないという不都合があった。
【０００５】
また、上記従来の技術の後者では、時、分、秒のサーチタイムを設定し、設定されたサーチタイムにおけるフレーム番号を設定して、設定されたサーチタイム又はサーチタイムにおけるフレーム番号の画像をサーチすることができたが、サーチタイム或いはフレーム番号がわからない画像を容易にサーチすることができないという不都合があった。
【０００６】
本発明は上記の点に鑑みてなされたものであり、光ディスクに記録されている情報を再生する再生速度をユーザが所望する再生速度に容易に変更することができるようにしようとするものである。
【０００７】
【課題を解決するための手段】
上記目的を達成するため本発明においては、光ディスクに記録されている情報を再生する光ディスク再生装置において、光ディスクの再生を２倍速早送り再生に変更する早送り再生手段と、光ディスクの再生速度を指定する再生速度指定手段とを備え、光ディスクの通常再生時、前記早送り再生手段が操作されたとき、光ディスクの再生を２倍速早送り再生に変更し、光ディスクの早送り再生時、前記再生速度指定手段が操作されたとき、光ディスクの早送り再生の再生速度を前記再生速度指定手段によって指定された数値の再生速度に変更するようにし、光ディスクの早送り再生時、前記早送り再生手段が操作されたとき、光ディスクの早送り再生を通常再生に戻すようにする。
【０００８】
また、光ディスクの再生を通常再生から２倍速早戻し再生に変更する早戻し再生手段を備え、光ディスクの通常再生時、前記早戻し再生手段が操作されたとき、光ディスクの再生を２倍速早戻し再生に変更し、光ディスクの早戻し再生時、前記再生速度指定手段が操作されたとき、光ディスクの早戻し再生の再生速度を前記再生速度指定手段によって指定された数値の再生速度に変更するようにし、光ディスクの早戻し再生時、前記早戻し再生手段が操作されたとき、光ディスクの早戻し再生を通常再生に戻すようにする。
【０００９】
これらの手段により、光ディスクに記録されている情報を再生する再生速度をユーザが所望する再生速度に容易に変更することができる。
【００１０】
【発明の実施の形態】
以下、適宜図面を参照しながら本発明の実施の形態を詳述する。図１は本発明の実施の形態に係る光ディスク再生装置の構成を示すブロック図であり、図２は本発明の実施の形態に係る光ディスク再生装置のリモコン装置を示す説明図であり、図３は本発明の実施の形態に係る光ディスク再生装置の動作を示すフローチャートである。
【００１１】
まず、図１は本発明の実施の形態に係る光ディスク再生装置の構成を示すブロック図を基に説明する。
【００１２】
ＤＶＤ等の光ディスク１に記録されている情報の映像音声信号は、光ピックアップ２によって、光学的に読み取られる。光ディスク１は、スピンドルモータ３によって回転駆動され、サーボ回路６のスピンドルサーボによってＣＬＶ（Ｃｏｎｓｔａｎｔ  Ｌｉｎｅａｒ  Ｖｅｌｏｃｉｔｙ）回転制御される。また、光ピックアップ２は、サーボ回路６のフォーカスサーボ、ピックアップサーボによって、フォーカス制御、トラッキング制御され、光ディスク１に記録されている情報の映像音声信号を読み取るようになっている。
【００１３】
光ピックアップ２によって読み取られた、光ディスク１に記録されている映像音声信号は、同期検出／ＡＤ（アナログ−デジタル）変換回路４に送られ増幅された後、基準クロックに基づいて同期検出されて、アナログ信号からデジタル信号に変換される。デジタル信号に変換された映像音声信号は、復調／誤り訂正回路５に送られ復調された後、光ディスク１から読み取られたデータの誤りが訂正される。
【００１４】
復調／誤り訂正回路５によって誤り訂正された映像音声信号は、映像信号と音声信号とに分離されて、映像信号は映像信号処理回路７に送られ、音声信号は音声信号処理回路８に送られる。
【００１５】
映像信号処理回路７に送られた映像信号は、映像信号処理回路７によって画像の再生と再編成とが行われ、光ディスク１から読み取られた映像信号が元の映像信号に復号され、所定の信号方式に従った映像信号、例えばＮＴＳＣ（ｎａｔｉｏｎａｌ  ｔｅｌｅｖｉｓｉｏｎ  ｓｙｓｔｅｍ  ｃｏｍｍｉｔｔｅｅ）方式の映像信号に符号化されて、デジタル信号からアナログ信号に変換され、映像信号として出力される。
【００１６】
音声信号処理回路８に送られた音声信号は、音声信号処理回路８で復号された後、デジタル信号からアナログ信号に変換されて出力される。
【００１７】
復調／誤り訂正回路５で誤り訂正された映像音声信号の内、システムを制御するための各種制御信号と、映像信号処理回路７と音声信号処理回路８とによって再生された制御信号とが、システム全体を制御するマイクロコンピュータ（マイコン）９に送られる。そして、マイコン９は、リモコン受信部１０によって受信したリモコン装置１１のキー操作によるリモコン信号を受信して、サーボ回路６、映像信号処理回路７、音声信号処理回路８に制御信号を送出し、光ディスク再生装置のシステム全体を制御して、光ディスク１に記録されている映像音声信号を再生するようになっている。
【００１８】
次に、図２は本発明の実施の形態に係る光ディスク再生装置のリモコン装置を示す説明図を基に説明する。
【００１９】
リモコン装置１１には、光ディスク再生装置を動作させるための各種キーが設けられていて、ユーザがそれらのキーを操作することによって、光ディスク再生装置を所望動作させることができるようになっている。
【００２０】
再生キー１１ａは、光ディスク再生装置に光ディスクの再生を指令するリモコン信号を送信するキーであり、再生キー１１ａが押されると、光ディスクの通常再生が開始される。
【００２１】
早送りキー１１ｂは、光ディスク再生装置に光ディスクの２倍速早送り再生を指令するリモコン信号を送信するキーである。光ディスクの通常再生時、早送りキー１１ｂが押されると、光ディスクの再生が２倍速早送り再生に変更され、早送り再生時、早送りキー１１ｂが押されると、光ディスクの早送り再生が通常再生に戻される。
【００２２】
早戻しキー１１ｃは、光ディスク再生装置に光ディスクの２倍速早戻し再生を指令するリモコン信号を送信するキーである。光ディスクの通常再生時、早戻しキー１１ｃが押されると、光ディスクの再生が２倍速早戻し再生に変更され、早戻し再生時、早戻しキー１１ｃが押されると、光ディスクの早戻し再生が送り方向の通常再生に戻される。
【００２３】
数字キー１１ｄは、光ディスクの早送り再生或いは早戻し再生の再生速度を指定するリモコン信号、光ディスクのタイトル番号、チャプタ番号のジャンプ先を指定するリモコン信号を送信する数字キーである。光ディスクの早送り再生時或いは早戻し再生時、数字キー１１ｄが押されると、光ディスクが早送り再生或いは早戻し再生の再生速度が数字キー１１ｄよって指定された数値の再生速度に変更される。例えば、数字キー１１ｄの「５」のキーが押されたとき、早送り再生或いは早戻し再生の再生速度が５倍速に変更され、数字キー１１ｄの「８」のキーが押されたとき、早送り再生或いは早戻し再生の再生速度が８倍速に変更されるようになっている。また、光ディスクの通常再生時、数字キー１１ｄが押されると、数字キー１１ｄによって指定された光ディスクのタイトル番号、チャプタ番号へジャンプして光ディスクが通常再生される。
【００２４】
なお、リモコン装置１１に設けられた各種キーは、光ディスク再生装置の操作パネルに設けるようにしてもよい。
【００２５】
次に、図３は本発明の実施の形態に係る光ディスク再生装置の動作を示すフローチャートを基に説明する。
【００２６】
光ディスクの再生中にリモコン装置のいずれかのキーが押されると、ステップＳ１からステップＳ２に進み、押されたキーが早送りキーであるか否かが判断され、押されたキーが早送りキーである場合、ステップＳ３に進み、押されたキーが早送りキーでない場合、ステップＳ５に進む。
【００２７】
ステップＳ３で、光ディスクの早送り再生中であるか否かが判断され、光ディスクの早送り再生中でない場合、ステップＳ４に進み、光ディスクの早送り再生中である場合、ステップＳ８に進む。
【００２８】
ステップＳ４で、光ディスクの再生を２倍速早送り再生に変更し、ステップＳ１３に進んでリモコン装置のキー操作に対する処理を終了する。
【００２９】
ステップＳ５で、押されたキーが早戻しキーであるか否かが判断され、押されたキーが早戻しキーである場合、ステップＳ６に進み、押されたキーが早戻しキーでない場合、ステップＳ９に進む。
【００３０】
ステップＳ６で、光ディスクの早戻し再生中であるか否かが判断され、光ディスクの早戻し再生中でない場合、ステップＳ７に進み、光ディスクの早戻し再生中である場合、ステップＳ８に進む。
【００３１】
ステップＳ７で、光ディスクの再生を２倍速早戻し再生に変更し、ステップＳ１３に進んでリモコン装置のキー操作に対する処理を終了する。
【００３２】
ステップＳ８で、光ディスクの早送り再生或いは早戻し再生を送り方向の通常再生に戻し、ステップＳ１３に進んでリモコン装置のキー操作に対する処理を終了する。
【００３３】
ステップＳ９で、押されたキーが数字キーであるか否かが判断され、押されたキーか数字キーである場合、ステップＳ１０に進み、押されたキーが数字キーでない場合、ステップＳ１３に進んでリモコン装置のキー操作に対する処理を終了する。
【００３４】
ステップＳ１０で、光ディスクの通常再生中であるか否かが判断され、光ディスクの通常再生中でない場合、ステップＳ１１に進み、光ディスクの通常再生中である場合、ステップＳ１２に進む。
【００３５】
ステップＳ１１で、光ディスクの早送り再生或いは早戻し再生の再生速度を押されたリモコン装置の数値キーによって指定された再生速度に変更し、ステップＳ１３に進んでリモコン装置のキー操作に対する処理を終了する。
【００３６】
ステップＳ１２で、押されたリモコン装置の数値キーによって指定された光ディスクのタイトル、チャプタへジャンプして通常再生し、ステップＳ１３に進んでリモコン装置のキー操作に対する処理を終了する。
【００３７】
【発明の効果】
以上説明してきたように、本発明による光ディスク再生装置によれば、光ディスクの通常再生時、早送りキーを操作することによって、光ディスクの再生を２倍速早送り再生に変更し、光ディスクの早送り再生時、数字キーを操作することによって、光ディスクの早送り再生の再生速度を数字キーによって指定された数値の再生速度に変更することができる。また、光ディスクの通常再生時、早戻しキーを操作することによって、光ディスクの再生を２倍速早戻し再生に変更し、光ディスクの早戻し再生時、数字キーを操作することによって、光ディスクの早戻し再生の再生速度を数字キーによって指定された数値の再生速度に変更することができる。また、光ディスクの早送り再生時或いは早戻し再生時、早送りキー或いは早戻しキーを操作することによって、光ディスクの早送り再生或いは早戻し再生を送り方向の通常再生に戻すことができる。このことにより、光ディスクに記録されている情報を再生する再生速度をユーザが所望する再生速度に容易に変更することができる。
【００３８】
請求項１記載の発明に係る光ディスク再生装置は、光ディスクの通常再生時、早送り再生手段が操作されたとき、光ディスクの再生を２倍速早送り再生に変更し、早戻し再生手段が操作されたとき、光ディスクの再生を２倍速早戻し再生に変更し、光ディスクの早送り再生時或いは早戻し再生時、数値キーからなる再生速度指定手段が操作されたとき、光ディスクの早送り再生或いは早戻し再生の再生速度を再生速度指定手段によって指定された数値の再生速度に変更し、光ディスクの早送り再生時、早送り再生手段が操作されたとき、或いは光ディスクの早戻し再生時、早戻し再生手段が操作されたとき、光ディスクの早送り再生或いは早戻し再生を通常再生に戻すようにしている。
【００３９】
請求項２記載の発明に係る光ディスク再生装置は、光ディスクの通常再生時、早送り再生手段が操作されたとき、光ディスクの再生を２倍速早送り再生に変更し、光ディスクの早送り再生時、数値キーからなる再生速度指定手段が操作されたとき、光ディスクの早送り再生の再生速度を再生速度指定手段によって指定された数値の再生速度に変更し、光ディスクの早送り再生時、早送り再生手段が操作されたとき、光ディスクの早送り再生を通常再生に戻すようにしている。
【００４０】
請求項３記載の発明に係る光ディスク再生装置は、早送り再生手段は、光ディスク再生装置のリモコン装置又は操作パネルに設けられた早送りキーを操作することによって、光ディスクの再生を早送り再生に変更するようにしている。
【００４１】
請求項４記載の発明に係る光ディスク再生装置は、光ディスクの通常再生時、早戻し再生手段が操作されたとき、光ディスクの再生を２倍速早戻し再生に変更し、光ディスクの早戻し再生時、再生速度指定手段が操作されたとき、光ディスクの早戻し再生の再生速度を再生速度指定手段によって指定された数値の再生速度に変更するようにしている。
【００４２】
請求項５記載の発明に係る光ディスク再生装置は、光ディスクの早戻し再生時、早戻し再生手段が操作されたとき、光ディスクの早戻し再生を通常再生に戻すようにしている。
【００４３】
請求項６記載の発明に係る光ディスク再生装置は、光ディスク再生装置のリモコン装置又は操作パネルに設けられた早戻しキーを操作することによって、光ディスクの再生を早戻し再生に変更するようにしている。
【００４４】
請求項７記載の発明に係る光ディスク再生装置は、光ディスク再生装置のリモコン装置又は操作パネルに設けられた数字キーを操作することによって、光ディスクの早送り再生或いは早戻し再生の再生速度を数値キーによって指定された数値の再生速度に変更するようにしている。
【図面の簡単な説明】
【図１】  本発明の実施の形態に係る光ディスク再生装置の構成を示すブロック図である。
【図２】  本発明の実施の形態に係る光ディスク再生装置のリモコン装置を示す説明図である。
【図３】  本発明の実施の形態に係る光ディスク再生装置の動作を示すフローチャートである。
【符号の説明】
１  光ディスク
２  光ピックアップ
３  スピンドルモータ
４  同期検出／ＡＤ変換回路
５  復調／誤り訂正回路
６  サーボ回路
７  映像信号処理回路
８  音声信号処理回路
９  マイコン
１０  リモコン受信部
１１  リモコン装置
１１ａ  再生キー
１１ｂ  早送りキー
１１ｃ  早戻しキー
１１ｄ  数字キー
【図１】
0003697712.tif 000002
【図２】
0003697712.tif 000003
【図３】
0003697712.tif 000004